(57)【特許請求の範囲】
【請求項１】
患者の頸部分を乗せるための凸状の頸支持面（２）が形成されている頸支持部（３）と、
頸支持面（２）の後端に連続して患者の後頭部に対峙するように湾曲状の後頭部対峙面（４）が形成されている頭対峙部（５）と、
後頭部対峙面（４）の後端に連続して患者の頭頂部に当接させるための頭頂部当接面（６）が形成されている後壁部（７）とを有し、
頸支持面（２）は、前後方向においてはその途中位置において頂部（２ａ）が形成される凸曲面によって規定され、幅方向においては左右対称な凹曲面によって規定される三次元曲面であり、
後頭部対峙面（４）は、前後方向においてはその途中位置において最深部（Ｂ）が形成される凹曲面によって規定され、幅方向においてはその中央において最深部（Ｂ）が形成される左右対称な凹曲面によって規定される三次元曲面であり、
頭頂部当接面（６）は、前後方向においては凹曲面によって規定され、幅方向においては左右対称な凹曲面によって規定される三次元曲面であり、
後壁部（７）における頭頂部当接面（６）の後端縁部（１５、１６）は、幅方向においてその中央が後端縁部最深部（Ｃ）となる左右対称な凹曲面状に切り取られた切り取り部（２１）を備えており、
頸支持面（２）における幅方向に延びる頂部（２ａ）は、前後方向から見た場合に、幅方向の中央が頂部最深部（Ａ）となる左右対称な凹曲線によって規定されており、
後壁部（７）における頭頂部当接面（６）の後端縁部（１５、１６）は、その幅方向の両端部（Ｆ）が、頸支持面（２）の頂部最深部（Ａ）と同一の高さ位置にあることを特徴とする医療用ヘッドネックサポート（１）。
【請求項２】
請求項１において、
後壁部（７）の切り取り部の後端縁部最深部（Ｃ）の高さを基準として、この後端縁部の幅方向の両端部（Ｆ）は少なくとも１２０％の高さ位置にあることを特徴とする医療用ヘッドネックサポート（１）。
【請求項３】
請求項１または２において、
後壁部（７）に形成した切り取り部（２１）は、幅方向において少なくとも９０ｍｍの
長さであり、
後壁部（７）の後端縁部最深部（Ｃ）の高さを基準として、後端縁部（１５、１６）の両端部（Ｆ）は少なくとも２０ｍｍ高い位置にあることを特徴とする医療用ヘッドネックサポート（１）。
【請求項４】
請求項１ないし３のうちのいずれかの項において、
後壁部（７）における頭頂部当接面（６）の後端縁部（１５、１６）は、その幅方向の両端部（Ｆ）が、水平な平坦面であることを特徴とする医療用ヘッドネックサポート（１）。
【請求項５】
請求項１ないし４のうちのいずれかの項において、
後壁部（７）の後端縁部（１５、１６）に形成した切り取り部（２１）は凹円弧面によって規定されていることを特徴とする医療用ヘッドネックサポート（１）。
【請求項６】
請求項１ないし５のうちのいずれかの項において、
頸支持面（２）の頂部最深部（Ａ）の高さを基準高さとすると、
後頭部対峙面（４）の幅方向の中央に位置する最深部（Ｂ）は基準高さの２５％以下の高さ位置にあり、
後壁部（７）の後端縁部最深部（Ｃ）は基準高さの９０％以下の高さ位置にあることを特徴とする医療用ヘッドネックサポート（１）。
【請求項７】
請求項６において、
頸支持面（２）の幅方向の中央の頂部最深部（Ａ）の高さを基準として、頂部（２ａ）の両端部（Ｄ）は少なくとも１２０％の高さ位置にあり、
後頭部対峙面（４）の最深部（Ｂ）の高さを基準として、当該後頭部対峙面（４）における当該最深部（Ｂ）を通る幅方向の両端部（Ｅ）は少なくとも１２０％の高さ位置にあることを特徴とする医療用ヘッドネックサポート（１）。
【請求項８】
請求項１ないし７のうちのいずれかの項において、
樹脂発泡体から形成されていることを特徴とする医療用ヘッドネックサポート（１）。
【発明の詳細な説明】
【技術分野】
【０００１】
本発明は、放射線治療、ＭＲＩ検査などにおいて患者の頭部から頸部に掛けての部分を固定するために用いる医療用ヘッドネックサポートの改良に関する。
【背景技術】
【０００２】
例えば、放射線治療においては治療台に乗せた患者の位置を固定して患部に正確に放射線を照射するために、治療台上において患者の各部を定まった位置に固定する必要がある。従来において使用されている頭部頸部固定用の補助器具としては枕形式のものが知られており、この形式の器具は特許文献１の図１、図３において固定用補助体として開示されている。本明細書においては、この形式の器具をヘッドネックサポートと呼ぶものとする。
【０００３】
図５（ａ）に示すように、特許文献１に開示されている一般的なヘッドネックサポート１００は全体として縦長の直方体形状をしており、その上面には、上方に突出した頸を乗せるための頸支持面１０１と、この頸支持面１０１の後端に連続して形成された後頭部を乗せるための後頭部支持面１０２とが形成されている。図５（ｂ）に示すように、治療台１０３に寝た被験者あるいは患者Ｐの頸Ｎおよび頭部Ｈの下にヘッドネックサポート１００を置き、頸支持面１０１によって頸Ｎを支持し、後頭部支持面１０２によって後頭部Ｈａを支持して、患者の頭部Ｈを、縦方向（頭足方向）、横方向および上下方向の各方向において位置決めしている。
【先行技術文献】
【特許文献】
【０００４】
【特許文献１】実用新案登録第３１３８５４０号公報
【発明の概要】
【発明が解決しようとする課題】
【０００５】
従来のヘッドネックサポートでは、患者の頭部とヘッドネックサポートの相対位置を確実に固定することができないという問題点がある。特に、縦方向および横方向の固定性が不十分であり、これらの方向において頭部の位置決めを確実に行うことができないことがある。この結果、繰り返しの治療あるいは検査において、患者の頭部の位置が図５（ｂ）において想像線で示すように縦方向および横方向にずれてしまい、固定位置の再現性も悪いという問題点がある。
【０００６】
そこで、図６（ａ）に示すように、ヘッドネックサポート１００の後端に壁２００を設け、この壁２００の内周面２０１に患者Ｐの頭頂部Ｈｂを当てることにより、縦方向の位置決めを正確に行い得るようにすることが考えられる。しかしながら、患者毎に頭部から頸部に掛けてのサイズ、形状が異なるので、このような壁を設けると、患者の頭部のサイズ、形状に対応できるように多数のサイズ、形状のヘッドネックサポートを用意しておく必要があり、極めて不経済であり、適切なものを選択して使用しないと頭部の固定性、固定位置の再現性が大幅に悪化してしまう。
【０００７】
また、頭部が横方向にずれないように確実に固定するためには、後頭部支持面の中央を深くし、両側を高くする必要がある。このようにすると、ヘッドネックサポートにフィットする頭部のサイズ、形状が更に限定されてしまうので、上記と同様な問題が発生する。
【０００８】
本発明の課題は、このような点に鑑みて、患者、被験者などの頭部を確実に位置決めして固定することができ、再固定の場合の再現性にも優れた医療用ヘッドネックサポートを提案することにある。
【課題を解決するための手段】
【０００９】
上記の課題を解決するために、本発明の医療用ヘッドネックサポートは、
患者の頸部分を乗せるための凸状の頸支持面が形成されている頸支持部と、
頸支持面の後端に連続して患者の後頭部に対峙させるために湾曲状の後頭部対峙面が形成されている頭対峙部と、
後頭部対峙面の後端に連続して患者の頭頂部に当接させるための頭頂部当接面が形成されている後壁部とを有し、
頸支持面は、前後方向においてはその途中位置において頂部が形成される凸曲面によって規定され、幅方向においては左右対称な凹曲面によって規定される三次元曲面であり、
後頭部対峙面は、前後方向においてはその途中位置において最深部が形成される凹曲面によって規定され、幅方向においてはその中央において最深部が形成される左右対称な凹曲面によって規定される三次元曲面であり、
頭頂部当接面は、前後方向においては凹曲面によって規定され、幅方向においては左右対称な凹曲面によって規定される三次元曲面であり、
後壁部における頭頂部当接面の後端縁部は、幅方向においてその中央が後端縁部最深部となる左右対称な凹曲面状に切り取られた切り取り部を備えており、
頸支持面における幅方向に延びる頂部は、前後方向から見た場合に、幅方向の中央が頂部最深部となる左右対称な凹曲線によって規定されており、
後壁部における頭頂部当接面の後端縁部は、その幅方向の両端部が、頸支持面の頂部最深部と同一の高さ位置にあることを特徴としている。
【００１０】
本発明の医療用ヘッドネックサポートは患者の頭頂部に当接する頭頂部当接面を備えた後壁部を備えている。したがって、従来に比べて、患者の頭を、縦方向（頭足方向）において、より確実に位置決めして固定できる。また、後壁部の頭頂部当接面の後端縁部には凹曲面状の切り取り部が形成されているので、患者の頭部のサイズが縦方向に長い場合には、切り取り部から頭頂部の先を後方に突出させることにより対応できる。よって、多数のサイズのヘッドネックサポートを用意する必要がない。さらに、凹曲面状に切り取られた切り取り部に患者の頭の頭頂部近傍が乗り、後頭部対峙面よりも高い位置において患者の頭が下側および両側から支持されるので、切り取り部によって頭の横方向への移動を拘束することができる。この結果、従来に比べて、患者の頭を、横方向においても、より確実に位置決めして固定できる。したがって、本発明によれば、従来に比べて、頭の縦方向および横方向における固定性が改善され、また、固定の再現性も改善される。また、後頭部対峙面に対峙させた患者の頭部が、凹曲面状の後頭部対峙面よりも高い同一高さ位置にある３つの点によって支持された状態が形成される。３点によって頭部の縦方向および横方向の位置が規定されるので、頭の位置決め性および固定性、並びに位置決めの再現性が改善される。
【００１１】
人間の頭の解剖学的形状に基づけば、後壁部の切り取り部の後端縁部最深部の高さを基準として、この後端縁部の幅方向の両端が少なくとも１２０％の高さ位置にあることが望ましい。例えば、日本人等の頭の形状に基づけば、後壁部に形成した切り取り部を幅方向において少なくとも９０ｍｍの長さとし、後壁部の後端縁部最深部に対して、当該上端面の両端を少なくとも２０ｍｍ高い位置にすることが望ましい。
【００１２】
この大きさの凹曲面状の切り取り部を形成しておくことにより、各種サイズの頭に対応でき、しかも、縦方向および横方向において頭を確実に位置決めして固定できる医療用ヘッドネックサポートを実現できる。
【００１３】
本発明において、頸支持面における幅方向に延びる頂部は、一般に、前後方向から見た場合に、幅方向の中央が頂部最深部となる左右対称な凹曲線によって規定される。この場合、後壁部の後端縁部最深部は、頸支持面の頂部最深部と同一の高さ位置にあることが望ましい。
【００１４】
また、本発明において、後壁部における頭頂部当接面の後端縁部は、その幅方向の両端部が、水平な平坦面であることが望ましい。
【００１５】
ここで、加工容易性等の観点からは、後壁部の後端縁部に形成した切り取り部は凹円弧面によって規定することが望ましい。
【００１６】
次に、人間の頭の解剖学的形状に基づけば、頸支持面の頂部最深部の高さを基準高さとすると、後頭部対峙面の幅方向の中央に位置する最深部は基準高さの２５％以下の高さ位置にあり、後壁部の後端縁部最深部は基準高さの９０％以下の高さ位置にあることが望ましい。
【００１７】
これに加えて、頸支持面の幅方向の中央の頂部最深部の高さを基準として、頂部の両端は少なくとも１２０％の高さ位置にあり、後頭部対峙面の最深部の高さを基準として、当該後頭部対峙面における当該最深部を通る幅方向の両端は少なくとも１２０％の高さ位置にあることが望ましい。
【００１８】
一方、医療用ヘッドネックサポートの素材としては放射線吸収率が低く、成形が容易な樹脂発泡体を用いることが望ましい。
【図面の簡単な説明】
【００１９】
【図１】本発明を適用した医療用ヘッドネックサポートを示す斜視図である。
【図２】図１の医療用ヘッドネックサポートを示す平面図、側面図、正面図および背面図である。
【図３】図１の医療用ヘッドネックサポートを示す図であり、（ａ）は図２の線ａ−ａで切断した場合の縦断面図、（ｂ）は図２の線ｂ−ｂで切断した場合の横断面図、（ｃ）は図２の線ｃ−ｃで切断した場合の横断面図、（ｄ）は図２の線ｄ−ｄで切断した場合の横断面図である。
【図４】図１の医療用ヘッドネックサポートの作用効果を示す説明図である。
【図５】（ａ）は従来のヘッドネックサポートを示す斜視図であり、（ｂ）はその問題点を示す説明図である。
【図６】（ａ）は従来のヘッドネックサポートに一定高さの後壁部を追加した場合を示す説明図であり、（ｂ）はその使用状態を示す説明図である。
【００２０】
以下に、図面を参照して、本発明を適用した医療用ヘッドネックサポートの実施の形態を説明する。
【００２１】
図１および図２を参照して説明すると、本発明の実施の形態に係る医療用ヘッドネッサポート１は全体として前後に長い長方形の樹脂発泡体からなる成形品である。医療用ヘッドネックサポート１は、その前端側に、患者の頸部分を乗せるための凸状の頸支持面２が形成された頸支持部３を備えている。この後側には、頸支持面２の後端に滑らかに連続して患者の後頭部に対峙させるための湾曲状の後頭部対峙面４が形成された頭対峙部５が連続しており、この後側には、後頭部対峙面４の後端に滑らかに連続して患者の頭頂部に当接させるための頭頂部当接面６が形成された後壁部７が連続している。
【００２２】
頸支持面２の前端縁は平坦な長方形の底面８の前端縁９に繋がっており、頸支持面２および後頭部対峙面４の両側の側縁１１、１２は、垂直な左右の側面１３、１４の上端縁に繋がっている。頭頂部当接面６の後端縁１５は所定幅の上端面１６に繋がっており、この上端面１６の後端縁は垂直な背面１７の上端縁に繋がっている。また、左右の側面１３、１４の下端縁１８、１９および背面１７の下端縁がそれぞれ長方形の底面８の左右の縁および後端縁に繋がっている。
【００２３】
頸支持面２は、前後方向Ｙにおいてはその途中位置において頂部２ａが形成される凸曲面によって規定され、幅方向Ｘにおいては左右対称な凹曲面によって規定される三次元曲面である。後頭部対峙面４は、前後方向Ｙにおいてはその途中位置において最深部Ｂが形成される凹曲面によって規定され、幅方向Ｘにおいてはその中央において最深部Ｂが形成される左右対称な凹曲面によって規定される三次元曲面である。頭頂部当接面６は、前後方向Ｙにおいては凹曲面によって規定され、幅方向Ｘにおいては左右対称な凹曲面によって規定される三次元曲面である。
【００２４】
なお、頸支持面２と後頭部対峙面４の境界は頂部２ａと最深部Ｂの間の位置にあり、後
頭部対峙面４と頭頂部当接面６の境界は最深部Ｂと後端縁１５の間の位置にあるが、これらの位置を限定することに技術的意味はない。
【００２５】
次に、図３を主に参照して、医療用ヘッドネックサポート１の各部の形状を詳しく説明する。まず、図３（ｄ）に示すように、後壁部７における頭頂部当接面６の上端面１６（後端縁１５）は、幅方向Ｘにおける両端部Ｆが最も高い位置にある水平な（底面８に平行な）一定長さの平坦面となっており、これらの間の部分が、幅方向Ｘの中央が最深部（以下、後端縁部最深部Ｃと呼ぶ。）となる左右対称な凹曲面状に切り取られた切り取り部２１となっている。後壁部７の切り取り部２１の後端縁部最深部Ｃの高さＬ（Ｃ）を基準として、上端面１６（後端縁１５）の幅方向Ｘの両端部Ｆの高さＬ（Ｆ）は少なくともＬ（Ｃ）の１２０％の高さ寸法に設定されている。
【００２６】
一般的には、後壁部７に形成した切り取り部２１は凹円弧面によって規定することができる。また、幅方向Ｘにおいて少なくとも９０ｍｍの長さとし、後端縁部最深部Ｃの高さに対して、上端面１６の両端部Ｆを少なくとも２０ｍｍ高い位置となるように設定することが望ましい。
【００２７】
図３（ａ）、（ｂ）に示すように、頸支持面２における幅方向Ｘに延びる頂部２ａは、前後方向Ｙから見た場合に、幅方向Ｘの中央が頂部最深部Ａとなる左右対称な凹曲線によって規定されている。また、本例では、後壁部７における頭頂部当接面６の上端面１６（後端縁１５）は、幅方向Ｘにおける両端部Ｆの高さＬ（Ｆ）が、頸支持面２の頂部最深部Ａの高さＬ（Ａ）と同一の高さ寸法に設定されている。
【００２８】
図３（ａ）に示すように、頸支持面２の頂部最深部Ａの高さＬ（Ａ）を基準高さとすると、後頭部対峙面４の幅方向の中央に位置する最深部Ｂの高さＬ（Ｂ）は基準高さの２５％以下の高さに設定されている。また、後壁部７の後端縁部最深部Ｃの高さＬ（Ｃ）は、基準高さの９０％以下の高さに設定されている。
【００２９】
また、図３（ｂ）に示すように、頸支持面２の幅方向Ｘの中央の頂部最深部Ａの高さＬ（Ａ）を基準として、頂部２ａの両端部Ｄの高さＬ（Ｄ）は少なくとも１．２Ｌ（Ａ）（少なくとも１２０％の高さ）に設定されている。後頭部対峙面４においても、その最深部Ｂの高さＬ（Ｂ）を基準として、当該後頭部対峙面４における当該最深部Ｂを通る幅方向Ｘの両端部Ｅの高さＬ（Ｅ）は少なくとも１．２Ｌ（Ｂ）（１２０％の高さ）に設定されている。
【００３０】
図４を参照して、このように構成した医療用ヘッドネックサポート１の作用効果を説明する。医療用ヘッドネックサポート１は患者Ｐの頭頂部Ｈｂに当接する頭頂部当接面６を備えた後壁部７を備えているので、患者の頭部Ｈを、縦方向Ｙ（頭足方向）において確実に位置決めして固定できる。また、後壁部７の頭頂部当接面６の後端縁１５には凹曲面状の切り取り部２１が形成されているので、患者Ｐの頭部Ｈのサイズが縦方向に長い場合には、切り取り部２１から頭頂部Ｈｂの先を後方に突出させることにより対応できる。よって、多数のサイズのヘッドネックサポートを用意することなく、頸部から頭部までのサイズの個人差に対応できる。
【００３１】
また、凹曲面状に切り取られた切り取り部２１に患者Ｐの頭部Ｈの頭頂部Ｈｂの先が乗り、後頭部対峙面４よりも高い位置において患者の頭が下側および両側から支持される。よって、切り取り部２１の凹曲面状の上面によって頭部Ｈの横方向Ｘへの移動を拘束することができる。よって、患者Ｐの頭部Ｈを、横方向Ｘにおいても、確実に位置決めして固定できる。
【００３２】
さらに、本例では、後壁部７における頭頂部当接面６の上端面１６（後端縁１５）における幅方向Ｘにおける両端部Ｆと、頸支持面２における幅方向に延びる頂部２ａにおける頂部最深部Ａとが同一の高さに設定されている。このように、後頭部対峙面４に対峙させた患者Ｐの頭部Ｈが、凹曲面状の後頭部対峙面４よりも高い同一高さ位置にある３つの点（Ａ、Ｆ、Ｆ）によって支持された状態が形成される。３点支持によって頭部Ｈの縦方向および横方向の位置が規定されるので、頭の位置決め性および固定性、並びに位置決めの再現性が改善されるという作用効果が得られる。
【符号の説明】
【００３３】
１    医療用ヘッドネックサポート
２    頸支持面
３    頸支持部
４    後頭部対峙面
５    頭対峙部
６    頭頂部当接面
７    後壁部
８    底面
９    前端縁
１１、１２  両側の縁
１３、１４  側面
１５    後端縁
１６    上端面
１７    背面
１８、１９  下端の縁
２１  切り取り部
Ａ    頂部最深部
Ｂ    後頭部対峙面の最深部
Ｃ    後端縁部最深部
Ｄ    頂部の両端部
Ｅ    後頭部対峙面の両端部
Ｆ    後壁部の両端部
Ｘ    横方向
Ｙ    縦方向
Ｐ    患者（被験者）
Ｎ    頸
Ｈ    頭部
Ｈａ  後頭部
Ｈｂ  頭頂部
【図１】
0005813326.tif 000002
【図２】
0005813326.tif 000003
【図３】
0005813326.tif 000004
【図４】
0005813326.tif 000005
【図５】
0005813326.tif 000006
【図６】
0005813326.tif 000007